(57)【要約】      （修正有）【課題】機械状態条件を示す周囲照明を生成することができる文書処理デバイスを提供する。【解決手段】文書処理デバイス２０４において、ディスプレイデバイス２１２は、文書処理デバイスの外部に接続されている。ディスプレイデバイスは、外部から離れる第１の方向に表示するように配置された画面２１６を含む。光源は、ディスプレイデバイスに接続されている。光源は、文書処理デバイスの外部に向かう第２の方向に光を放出するように配置されている。プロセッサは、ディスプレイデバイス及び光源に動作可能に接続されている。プロセッサは、光源を制御して、画面上に現れるグラフィック項目２４０の対応する照明を放出するように適合されている。【選択図】図１Ａ
2020102843.tif 000002
【特許請求の範囲】
【請求項１】
外部を有する文書処理デバイスと、
前記外部に接続されたディスプレイデバイスであって、前記外部から離れる第１の方向に表示するように配置された画面を含む、ディスプレイデバイスと、
前記ディスプレイデバイスに接続された光源であって、前記光源が、前記外部に向かう第２の方向に光を放出するように配置されている、光源と、
前記ディスプレイデバイス及び前記光源に動作可能に接続されたプロセッサと、を備える、装置であって、
前記プロセッサが、前記光源を制御して、前記画面上に現れるグラフィック項目の対応する照明を放出するように適合されている、装置。
【請求項２】
前記対応する照明が、前記外部に現れる、請求項１に記載の装置。
【請求項３】
前記プロセッサは、前記グラフィック項目及び前記対応する照明が同じ色であるように、前記光を制御するように適合されている、請求項１に記載の装置。
【請求項４】
前記プロセッサは、前記グラフィック項目及び前記対応する照明が連携して色を変化させるように、前記光を制御するように適合されている、請求項３に記載の装置。
【請求項５】
前記グラフィック項目が、第１の変化パターンで変化し、前記対応する照明が、前記グラフィック項目の変化と連携して前記第１の変化パターンで変化する、請求項１に記載の装置。
【請求項６】
前記光源が多色光源を含む、請求項１に記載の装置。
【請求項７】
前記グラフィック項目及び前記対応する照明の異なる色及びパターンが、エラー条件、警告条件、アクティブ処理条件、及び処理完了条件を含む前記文書処理デバイスの異なる状態条件を示す、請求項１に記載の装置。
【請求項８】
前記文書処理デバイスが載置される表面に隣接する、外部及び底部を有する文書処理デバイスと、
前記外部に接続されたディスプレイデバイスであって、前記外部から離れる第１の方向に表示するように配置された画面を含む、ディスプレイデバイスと、
前記ディスプレイデバイスに接続されたディスプレイ光源であって、前記外部に向かう第２の方向に光を放出するように配置されている、ディスプレイ光源と、
前記底部に接続された底部光源であって、前記文書処理デバイスが載置される前記表面に向かう第３の方向に光を放出するように配置されている、底部光源と、
前記ディスプレイデバイス及び前記ディスプレイ光源に動作可能に接続されたプロセッサと、を備える、装置であって、
前記プロセッサが、前記ディスプレイ光源及び前記底部光源を制御して、前記画面上に現れるグラフィック項目の対応する照明を放出するように適合されている、装置。
【請求項９】
前記対応する照明は、前記外部、及び前記文書処理デバイスが載置される前記表面上に現れる、請求項８に記載の装置。
【請求項１０】
前記プロセッサは、前記グラフィック項目及び前記対応する照明が同じ色であるように、前記ディスプレイ光源及び前記底部光源を制御するように適合されている、請求項８に記載の装置。
【請求項１１】
前記プロセッサは、前記グラフィック項目及び前記対応する照明が連携して色を変化させるように、前記ディスプレイ光源及び前記底部光源を制御するように適合されている、請求項１０に記載の装置。
【請求項１２】
前記グラフィック項目が、第１の変化パターンで変化し、前記対応する照明が、前記グラフィック項目の変化と連携して前記第１の変化パターンで変化する、請求項８に記載の装置。
【請求項１３】
前記ディスプレイ光源及び前記底部光源が、多色ディスプレイ光源を含む、請求項８に記載の装置。
【請求項１４】
前記グラフィック項目及び前記対応する照明の異なる色及びパターンが、エラー条件、警告条件、アクティブ処理条件、及び処理完了条件を含む前記文書処理デバイスの異なる状態条件を示す、請求項８に記載の装置。
【請求項１５】
ディスプレイデバイスに動作可能に接続されたプロセッサによって、前記ディスプレイデバイスの画面上に現れるグラフィック項目の状態を判定することであって、前記画面が、前記ディスプレイデバイスに接続された文書処理デバイスの外部から離れる第１の方向に表示するように配置されている、判定することと、
前記プロセッサによって、前記文書処理デバイスの前記外部に向かう第２の方向に前記グラフィック項目の対応する照明を放出するように制御することであって、前記ディスプレイ光源が前記ディスプレイデバイスに接続されている、制御することと、を含む、方法。
【請求項１６】
前記ディスプレイ光源が、前記外部上に前記対応する照明を放出するように制御される、請求項１５に記載の方法。
【請求項１７】
前記ディスプレイ光源は、前記グラフィック項目及び前記対応する照明が同じ色であるように制御される、請求項１５に記載の方法。
【請求項１８】
前記ディスプレイ光源は、前記グラフィック項目及び前記対応する照明が連携して色を変化させるように制御される、請求項１７に記載の方法。
【請求項１９】
前記グラフィック項目が第１の変化パターンで変化し、前記ディスプレイ光源が、前記グラフィック項目の変化と連携して前記第１の変化パターンで変化するように制御される、請求項１５に記載の方法。
【請求項２０】
前記グラフィック項目及び前記対応する照明の異なる色及びパターンが、エラー条件、警告条件、アクティブ処理条件、及び処理完了条件を含む前記文書処理デバイスの異なる状態条件を示す、請求項１５に記載の方法。
【発明の詳細な説明】
【技術分野】
【０００１】
本明細書のシステム及び方法は、全般的に、文書処理デバイスに関し、より具体的には、機械状態条件を示す周囲照明を生成する文書処理デバイスに関する。
【０００２】
絶えず存在する妨害は、残念なことにオフィス生産性を絶えず損なうものであるが、現代のオフィス設備では十分に対応できないことが多い。従業員は、通常、本来生産的な仕事日の間中ずっと他のオフィスの要求（電子メッセージ、電話通話などを含む）に割り込む絶え間ない妨害により遅延した又は時には破棄された（時には意図せず）タスクを始める。
【０００３】
例えば、従業員は、多くの場合、スキャンジョブ、コピージョブ、印刷ジョブなどの文書処理ジョブを開始するが、文書処理デバイスが作成する出力を利用しないことがあり、これは、その出力が破棄されているか、又はその有用性が失効した後に回収されるからである。これは、多くの場合、中断によってオフィスの生活様式に加えられる望ましくない遅延及び妨害により生じる。
【０００４】
一部の文書処理機械は、文書処理デバイスからの出力が使用可能になったときにユーザに通知する比較的大きなユーザインターフェース画面及び他のディスプレイを含むが、従業員は、多くの場合、他の責務によってユーザインターフェース画面のすぐ近くから離れている。作業者が適時に戻らなければ、文書処理デバイスの出力は、破棄されるか、又は時間遅延により回収される前に無用となり得る。
【０００５】
本明細書の装置は、本体シェル（外部）を有する文書処理デバイスを含み、文書処理デバイスの底部は、文書処理デバイスが載置される表面に隣接する外部の部分である。また、ディスプレイデバイスは、文書処理デバイスの外部の前面に接続されている（文書処理デバイスの背面は前面の反対側にある）。ディスプレイデバイスは、文書処理デバイスの外部から離れる第１の方向に表示するように配置された画面を含む。
【０００６】
加えて、ディスプレイ光源は、文書処理デバイスの外部に対向する画面の反対側にあるディスプレイデバイスの表面（ディスプレイデバイスの背面）に接続されている。したがって、ディスプレイ光源は、文書処理デバイスの外部に向かう第２の方向に光を放出するように配置されている。
【０００７】
また、底部光源は、文書処理デバイスの底部に接続され、背面光源は、文書処理デバイスの背面に接続されている。底部光源は、文書処理デバイスが載置される表面に向かう第３の方向に光を放出するように配置され、背面光源は、文書処理デバイスの背面に隣接する表面に向かう第４の方向に光を放出するように配置されている。ディスプレイ光源、底部光源、及び背面光源は、発光ダイオード（ｌｉｇｈｔ  ｅｍｉｔｔｉｎｇ  ｄｉｏｄｅｓ、ＬＥＤ）などの多色ディスプレイ光源を含む。
【０００８】
加えて、プロセッサは、ディスプレイデバイス及びディスプレイ光源、底部光源、並びに背面光源に動作可能に接続されている。プロセッサは、ディスプレイ光源、底部光源、及び背面光源を制御して、画面上に現れるグラフィック項目の対応する照明を放出するように適合されている。対応する照明は、文書処理デバイスの外部、文書処理デバイスが載置される表面、及び文書処理デバイスの背面に隣接する表面上に現れる。プロセッサは、グラフィック項目及び対応する照明が同じ色になるように、グラフィック項目及び対応する照明が連携して色を変化させるように、ディスプレイ光源、底部光源、及び背面光源を制御するように適合されている。
【０００９】
グラフィック項目は、第１の変化パターンで変化し、対応する照明は、グラフィック項目の変化と連携して同じ第１の変化パターンで変化する。グラフィック項目及び対応する照明の異なる色及びパターンは、エラー条件、警告条件、アクティブ処理条件、及び処理完了条件を含む文書処理デバイスの異なる状態条件を示す。
【００１０】
本明細書の方法は、プロセッサを使用して、ディスプレイデバイスの画面上に現れるグラフィック項目の状態を判定する。これらの方法では、プロセッサは、ディスプレイ光源、底部光源、及び背面光源を制御して、文書処理デバイスの外部、文書処理デバイスが載置される表面、及び文書処理デバイスの背面に隣接する表面に向かう（表面上の）第２の方向に、グラフィック項目の対応する照明を放出する。
【００１１】
更に、プロセッサは、グラフィック項目及び対応する照明が同じ色になるように、グラフィック項目及び対応する照明が連携して色を変化させるように、かつ対応する照明がグラフィック項目の変化と連携して同じパターンで変化するように、ディスプレイ光源、底部光源、及び背面光源を制御する。したがって、プロセッサは、ディスプレイ光源、底部光源、及び背面光源を制御して、グラフィック項目及び対応する照明の異なる色及びパターンを放出して、エラー条件、警告条件、アクティブ処理条件、及び処理完了条件を含む文書処理デバイスの異なる状態条件を示す。
【図面の簡単な説明】
【００１２】
【図１Ａ】本明細書のデバイスを示す斜視概略図である。
【図１Ｂ】本明細書のデバイスを示す斜視概略図である。
【図１Ｃ】本明細書のデバイスを示す斜視概略図である。
【図１Ｄ】本明細書のデバイスを示す斜視概略図である。
【図２】本明細書のデバイスを示す平面概略図である。
【図３】本明細書のデバイスを示す平面概略図である。
【図４】本明細書のデバイスを示す平面概略図である。
【図５】本明細書における様々な方法のフロー図である。
【図６】本明細書のデバイスを示す概略図である。
【発明を実施するための形態】
【００１３】
上述のように、一部の文書処理機械は、文書処理デバイスからの出力が使用可能になったときにユーザに通知する比較的大きなユーザインターフェース画面及び他のディスプレイを含むが、従業員は、多くの場合、他の責務によってユーザインターフェース画面のすぐ近くから引き離されている。ゆえに、ユーザインターフェース画面が大きく、かつ容易に読み取り可能である場合であっても、作業者が画面を適時に閲覧することができる場所に戻らなければ、文書処理デバイスの出力は、破棄されるか、又は出力の回収までの時間遅延により又は無用となり得る。
【００１４】
本明細書の方法及び処理デバイスは、機械の前面上、床上、壁上などに機械状態条件を示す周囲照明を生成することによってこのような問題に対処し、これにより、従業員がユーザインターフェース画面を直接見ることができない場合であっても、ユーザが出力の準備ができていることを認識することが可能になる。更に、このような周囲照明は、従業員が機械の前に直接存在せず、ユーザインターフェース画面を直接閲覧することができない場合であっても、注意を必要とし得る様々な機械条件を従業員に通知することができる。
【００１５】
例えば、ユーザが文書処理デバイス本体のユーザインターフェース画面から、又はリモートで文書処理動作（スキャン、コピー、印刷など）を開始する場合、ユーザは、その工程が開始したことを覚えていない場合がある（現代の生活の妨害又は他の作業責務のために）。これにより、文書処理機械の出力が破棄される（回収されない）、又は、その有用性を失った後にのみ回収されることになり得る。しかしながら、本明細書の方法及び装置によって提供される周囲照明は、文書処理デバイスの前面、文書処理デバイスを取り囲む床、文書処理デバイスの後ろの壁などの上に投影されるため、ユーザは、開始した機械動作を思い出すことができる（文書処理機械から物理的に遠く離れていてユーザインターフェースを読むことができない場合であっても）。したがって、本明細書における周囲照明は、ユーザが出力を回収する可能性を高め、これによって、機械出力の破棄／不使用が減少し、無駄が削減される。
【００１６】
更に、機械の必要性（紙詰まり、低供給、構成要素交換の必要性、内部故障など）は、文書処理デバイスのユーザインターフェース画面上に表示されることが多い。しかしながら、一時的なユーザは、このようなメッセージを無視する可能性がある（機械メンテナンスがそのユーザの責任ではないため、又は一般的な曖昧性のため）。ゆえに、機械メンテナンスの責任を負う個人にメンテナンスの必要性が知らされない場合、これによって、機械の必要性が対処されず、最終的には機械ダウンタイムが非適時になり、これにより再びオフィス生産性に悪影響が及ぼされ得る。この場合も、方法及び装置の周囲照明は、機械前面、床、壁などの上に提供され、機械のメンテナンスの責任を負う者に機械の必要性を認識させる可能性を高める。これにより、不測かつ非適時の機械ダウンタイムの可能性が低くなり、オフィス生産性が増加する。
【００１７】
より詳細には、図１Ａの概念斜視図に示すように、本明細書の装置は、識別番号２０４Ａ〜２０４Ｃを使用して、様々な部分が図１Ａでラベル付けされた本体シェル（外部）を有する、任意の形態の文書処理デバイス２０４であり得る。具体的には、識別番号２０４Ａは、外部の前面を識別し、２０４Ｂは外部の底部を識別し、２０４Ｃは外部の背面を識別する。したがって、文書処理デバイス２０４の背面２０４Ｃは、前面２０４Ａの反対側にある。図１Ａでは、床（文書処理デバイス２０４が載置される表面２５２）は破線の下方にあり、文書処理デバイス２０４の背面２０４Ｃの後ろにあり得る例示的壁２５４は、破線の上方にある。当業者であれば、文書処理デバイス２０４を他の場所に配置して、床２５２及び壁２５４以外のものが本明細書で説明する周囲照明によって照らされてもよいことを理解するであろう。
【００１８】
図１Ａにも示すように、ディスプレイデバイス２１２は、文書処理デバイス２０４の外部の前面２０４Ａに接続されている。ディスプレイデバイス２１２は、文書処理デバイス２０４の前面２０４Ａから離れる第１の方向（前方向）にジョブ情報（コピー枚数、紙の種類など）を表示する位置に、ディスプレイデバイス２１２の前面に配置された画面２１６を含む。言い換えると、画面２１６（及び機械前面２０４Ａ）は、文書処理デバイス２０４の前面２０４Ａに対向して存在するときにユーザによって閲覧可能である。
【００１９】
図１Ａでは、ディスプレイデバイス２１２の背面２１２Ａは、画面２１６の反対側にあり、文書処理デバイス２０４の前面２０４Ａに対向している。図２を簡潔に参照すると、この図は、ディスプレイデバイス２１２の背面２１２Ａを示し、ディスプレイデバイス２１２の背面２１２Ａが、ディスプレイデバイス２１２の背面２１２Ａに接続されるか、又はそれと一体型であるディスプレイ光源２６０を含むことを示す。図２に示すように、ディスプレイデバイス２１２の背面２１２Ａは、ディスプレイデバイス２１２を文書処理デバイス２０４の外部に接続するために使用することができるマウント構造体２６２も含み得る。したがって、図１Ａを再び参照すると、ディスプレイ光源２６０は、文書処理デバイス２０４の前面２０４Ａに向かう第２の方向に光を放出するように配置されている。図１Ａでは、放出された光は、破線円内の文書処理デバイス２０４の前面２０４Ａ上に部分的に透明なマーキングを使用して示されている。
【００２０】
図１Ｂを参照すると、この場合も、文書処理デバイス２０４の底部２０４Ｂは、文書処理デバイス２０４が載置される表面２５２に隣接する外部の部分である。図３を簡潔に参照すると、この図は、文書処理デバイス２０４の底部２０４Ｂを示す。図３に示すように、底部２０４Ｂは、車輪２６８又は床面２５２（図１）上に文書処理デバイス２０４を支持する他の類似の構造を含む。
【００２１】
図３は、底部光源２６６が文書処理デバイス２０４の底部２０４Ｂに接続されるか、又はそれと一体型であることも示す。再び図１Ｂを参照すると、底部光源２６６は、文書処理デバイス２０４が載置される表面２５２に向かう（例えば、床に向かう）第３の方向に光を放出するように配置されている。同様に、図１Ｂでは、放出された光は、破線円内の床面２５２上の部分的に透明なマーキングを使用して示されている。
【００２２】
図１Ｃを参照すると、この場合も、文書処理デバイス２０４の背面２０４Ｃは、図１Ａ〜図１Ｄに示す使用例において、壁２５４に隣接する外部の一部である。図４を簡潔に参照すると、この図は、文書処理デバイス２０４の背面２０４Ｃを示す。図４に示すように、背面２０４Ｃは、背面２０４Ｃに接続されるか、又は背面２０４Ｃと一体型であり、かつ文書処理デバイス２０４の背面２０４Ｃに隣接する任意の表面（例えば、この例では壁２５４）に向かう第４の方向に光を放出するように配置されている背面光源２７０を含む。
【００２３】
前述のディスプレイ光源２６０、底部光源２６６、及び背面光源２７０は、多色発光ダイオード（ＬＥＤ）などの多色ディスプレイ光源２６０であり得る。また、図１Ａ〜図１Ｃの各々は、一度に光を放出する一組の光源のうちの１つのみを示すが、本明細書の様々な実施形態では、このような光源の一部又は全ては、図１Ｄに示すように、同時に光を放出し得る。
【００２４】
加えて、プロセッサ２２４は、文書処理デバイス内に含まれる（例えば、後述する図６を参照）。このようなプロセッサ２２４は、ディスプレイデバイス２１２及びディスプレイ光源２６０、底部光源２６６、並びに背面光源２７０に動作可能に接続されている。プロセッサ２２４は、ディスプレイ光源２６０、底部光源２６６、及び背面光源２７０を制御して、画面２１６上に現れるグラフィック項目２４０の対応する照明を放出するように適合されている。これにより、対応する照明が、文書処理デバイス２０４Ａの前面、文書処理デバイス２０４が載置される表面２５２、及び文書処理デバイス２０４の背面２０４Ｃに隣接する表面（例えば、壁２５４）上に現れる。
【００２５】
プロセッサ２２４は、グラフィック項目２４０及び対応する照明が同じ色であるように、連携して色を変化させるなどのように、ディスプレイ光源２６０、底部光源２６６、及び背面光源２７０を制御するように適合されている。例えば、グラフィック項目２４０は、第１の変化パターンで色、明るさなどを変化させてもよく、対応する照明は、グラフィック項目２４０の変化と連携して同じ第１の変化パターンで同じように変化するように、プロセッサ２２４によって制御される。
【００２６】
グラフィック項目２４０及び対応する照明の異なる色及びパターンは、エラー条件、警告条件、アクティブ処理条件、及び処理完了条件を含む文書処理デバイス２０４の異なる状態条件を示す。
【００２７】
したがって、１つの非限定的な例では、グラフィック項目２４０並びにディスプレイ光源２６０、底部光源２６６、及び背面光源２７０のうちの１つ以上からの周囲照明は、デバイスが命令を開始／受信する準備ができているとき、又は文書処理動作（「ジョブ」）が画面２１６に直接入力されているか、若しくは遠隔で入力されているときに、特定の色（例えば、黄色など）であってもよい。次いで、グラフィック項目２４０及び周囲照明２６０、２６６、２７０は、ジョブの処理中に異なる色（例えば、青色など）に変化し、ジョブの完了時に更に別の色（例えば、緑色など）に変化してもよく、出力が準備される。これらの色は、機械前面２０４Ａ、床２５２、及び／又は壁２５４上に一斉配信されるため、ユーザは、画面２１６を閲覧することができる位置にいない場合であっても、これらのジョブの状態を継続的に認識させられる。
【００２８】
他の例では、メンテナンス条件が、ジョブ中に存在又は発生する場合、他の警告又はアラート色（例えば、オレンジ色、赤色など）がグラフィック項目２４０上に、周囲照明２６０、２６６、２７０を介して提供され、ユーザ又は機械メンテナンスに責任を負う者に、機械問題に対処する必要があることを通知してもよい。
【００２９】
更に、グラフィック項目２４０及び周囲照明２６０、２６６、２７０の照明パターンは、条件の重度に応じて変化してもよい。一例では、重要ではないメンテナンス項目が発生する場合、光強度は比較的低くてもよく、又はゆっくり点滅若しくは振動などするようにしてもよい。しかしながら、メンテナンス項目が重大である（機械のシャットダウンを引き起こす）場合、光強度は、比較的高くてもよく、光は、急速に点滅又は振動してもよく、交互の色を迅速に表示してもよい。
【００３０】
同様に、ジョブの出力が失効によって第１の時間周期に回収されない場合、機械出力が準備されていることを示す照明（例えば、前述の例では緑色）が、点滅又は振動するようにしてもよい。更に、追加の時間周期が失効するとき、光強度又は光の点滅若しくは振動の速度が増加してもよい。加えて、更なる時間周期が失効し、かつジョブがまだ回収されていないとき、光は異なる色に変化して、期限の切れた出力が準備されていることを更に示してもよい。
【００３１】
図５は、本明細書における例示的方法を示すフローチャートである。項目１００では、これらの方法は、プロセッサを使用して、ディスプレイデバイスの画面上に現れるグラフィック項目の状態を判定する。項目１０２では、プロセッサを使用して、ディスプレイ光源、底部光源、及び背面光源を制御し、文書処理デバイスの外部、文書処理デバイスが載置される表面、及び文書処理デバイスの背面に隣接する表面に向かう（表面上の）第２の方向に、グラフィック項目の対応する照明を放出する。
【００３２】
更に、項目１０４では、これらの方法において、プロセッサは、グラフィック項目及び対応する照明が同じ色であるように、グラフィック項目及び対応する照明が連携して色を変化させるように、かつ対応する照明がグラフィック項目の変化と連携して同じパターンで変化するように、ディスプレイ光源、底部光源、及び背面光源を制御する。したがって、項目１０４では、プロセッサは、ディスプレイ光源、底部光源、及び背面光源を制御して、グラフィック項目及び対応する照明の異なる色及びパターンを放出して、エラー条件、警告条件、アクティブ処理条件、及び処理完了条件を含む文書処理デバイスの異なる状態条件を示す。
【００３３】
図６は、例えば、プリンタ、コピー機、多機能機械、多機能デバイス（ｍｕｌｔｉ−ｆｕｎｃｔｉｏｎ  ｄｅｖｉｃｅ、ＭＦＤ）などを含み得る、本明細書のプリンタ構造体２０４の多くの構成要素を示す。印刷デバイス２０４は、制御部／有形プロセッサ２２４と、有形プロセッサ２２４に動作可能に接続された通信ポート（入力／出力）２１４と、印刷デバイス２０４の外部のコンピュータ化されたネットワークとを含む。また、印刷デバイス２０４は、グラフィカルユーザインターフェース（ｇｒａｐｈｉｃａｌ  ｕｓｅｒ  ｉｎｔｅｒｆａｃｅ、ＧＵＩ）アセンブリ２１２などの少なくとも１つのアクセサリ機能構成要素を含み得る。ユーザは、グラフィカルユーザインターフェース又は制御パネル２１２をからメッセージ、命令、及びメニューオプションを受信し、グラフィカルユーザインターフェース又は制御パネル２１２を介して命令を入力してもよい。
【００３４】
入力／出力デバイス２１４は、印刷デバイス２０４への通信及び印刷デバイス２０４からの通信に使用され、有線デバイス又は無線デバイス（現在知られているか又は将来開発されているかにかかわらず、任意の形態）を備える。有形プロセッサ２２４は、印刷デバイス２０４の様々な動作を制御する。非一時的、有形、コンピュータ記憶媒体デバイス２１０（光学、磁気、コンデンサベースなどであってもよく、一時的信号とは異なる）は、有形プロセッサ２２４によって読み取り可能であり、有形プロセッサ２２４が実行して、本明細書に記載のものなどの様々な機能をコンピュータ化されたデバイスに行わせることを可能にする命令を記憶する。したがって、図６に示すように、本体ハウジングは、電源２１８によって交流（ａｌｔｅｒｎａｔｉｎｇ  ｃｕｒｒｅｎｔ、ＡＣ）源２２０から供給される電力で動作する１つ以上の機能構成要素を有する。電源２１８は、共通電力変換ユニット、電力貯蔵素子（例えば、電池など）などを含み得る。
【００３５】
印刷デバイス２０４は、マーキング材料を使用し、かつ特殊画像プロセッサ２２４（画像データの処理に特殊であるため汎用コンピュータとは異なる）に動作可能に接続されている少なくとも１つのマーキングデバイス（印刷エンジン）２４２と、連続した媒体又は媒体のシートをシート供給部２３０からマーキングデバイス２４２などに供給するように配置された媒体経路２３６とを含む。印刷エンジン２４２から様々なマーキングを受信した後、媒体のシートは、任意選択で、様々な印刷されたシートの折り畳み、ホチキス、ソートなどを行うことができるフィニッシャ２３４に渡る。また、印刷デバイス２０４は、外部電源２２０から供給される（電源２１８を介する）電力でも動作する、少なくとも１つのアクセサリ機能構成要素（スキャナ／文書ハンドラ２３２（自動文書フィーダ（ａｕｔｏｍａｔｉｃ  ｄｏｃｕｍｅｎｔ  ｆｅｅｄｅｒ、ＡＤＦ））など）を含み得る。
【００３６】
１つ以上の印刷エンジン２４２は、マーキング材料（トナー、インク、プラスチック、有機材料など）を連続媒体、媒体のシート、固定プラットフォームなどに、現在知られているか又は将来開発されているかにかかわらず、２次元又は３次元印刷工程において適用する任意のマーキングデバイスを示すことを意図している。印刷エンジン２４２は、例えば、静電トナープリンタ、インクジェット印刷ヘッド、印刷ヘッド、３次元プリンタなどを使用するデバイスを含み得る。１つ以上の印刷エンジン２４２は、例えば、印刷媒体（例えば、インクジェットプリンタ、リボンベースの接触プリンタなど）に直接印刷する、感光体ベルト又は中間転写ベルト若しくはデバイスを使用するデバイスを含み得る。
【００３７】
上述のように、プロセッサ２２４は、ディスプレイデバイス２０４の画面２１６上に現れるグラフィック項目２４０の状態を自動的に判定するように適合されている。プロセッサ２２４はまた、ディスプレイ光源、底部光源、及び背面光源２６０、２６６、２７０を自動的に制御して、文書処理デバイス２０４の前面２０４Ａ、文書処理デバイス２０４が載置される表面２５２、及び文書処理デバイス２０４の背面に隣接する表面２５４に向かう（表面上の）第２の方向に、グラフィック項目２４０の対応する照明を放出するように適合されている。
【００３８】
更に、プロセッサ２２４は、グラフィック項目２４０及び対応する照明が同じ色であるように、グラフィック項目２４０及び対応する照明２６０、２６６、２７０が連携して色を変化させるように、かつ対応する照明がグラフィック項目２４０の変化と連携して同じパターンで変化するように、ディスプレイ光源、底部光源、及び背面光源２６０、２６６、２７０を自動的に制御するように適合されている。したがって、プロセッサ２２４は、ディスプレイ光源、底部光源、及び背面光源２６０、２６６、２７０を自動的に制御して、グラフィック項目２４０及び対応する照明の異なる色及びパターンを放出して、エラー条件、警告条件、アクティブ処理条件、及び処理完了条件を含む文書処理デバイス２０４の異なる状態条件を示すように適合されている。
【００３９】
いくつかの例示的構造が添付の図面に示されているが、当業者であれば、図面が簡略化された概略図であること、並びに以下に提示される特許請求の範囲が、図示されていないが、このようなデバイス及びシステムと共に一般的に利用されるより多くの特徴（又は潜在的により少ない特徴）を包含することを理解するであろう。ゆえに、出願人は、以下に提示される特許請求の範囲が添付の図面によって限定されることを意図せず、代わりに添付の図面は、特許請求される特徴を実装することができるいくつかの方式を示すために単に提供されている。
【００４０】
多くのコンピュータ化されたデバイスが上述されている。マイクロチップを用いた中央処理装置（ｃｅｎｔｒａｌ  ｐｒｏｃｅｓｓｉｎｇ  ｕｎｉｔ、ＣＰＵ）、入力／出力デバイス（グラフィックユーザインターフェース（ＧＵＩ）、メモリ、コンパレータ、有形プロセッサなどを含む）を含むコンピュータ化されたデバイスは、周知であり、かつ容易に入手可能である。このようなコンピュータ化されたデバイスは、一般に、入力／出力デバイス、電源、有形プロセッサ、電子記憶メモリ、配線などを含むが、これらの詳細は、本明細書では省略され、本明細書に記載のシステム及び方法の主要な態様に読者が着目することを可能にする。
【００４１】
本明細書で使用するとき、用語のプリンタ又は印刷デバイスは、任意の目的のために印刷出力機能を行うデジタルコピー機、造本機械、ファクシミリ機械、多機能機械などの任意の装置を包含する。プリンタ、印刷エンジンなどの詳細は、周知であり、本開示が提示の主要な特徴に着目されるように本明細書に詳細に記載されていない。本明細書のシステム及び方法は、カラー、モノクロに印刷する、又はカラー若しくはモノクロの画像データを扱うシステム及び方法を包含し得る。前述のシステム及び方法は全て、静電複写式及び／又は乾式複写式機械及び／又は工程に具体的に適用可能である。
【００４２】
加えて、本明細書で使用する「右」、「左」、「垂直」、「水平」、「上部」、「底部」、「上側」、「下側」、「〜の下」、「下方」、「下層」、「上方」、「上層」、「平行」、「直角」などの用語は、図面において配向及び図示されるときに相対的位置であるように理解される（別途指示のない限り）。「接する」、「〜の上」、「直接接触する」、「当接する」、「直接隣接する」などの用語は、少なくとも１つの要素が別の要素に物理的に接触する（記載の両要素を分離する他の要素がない）ことを意味する。更に、用語の自動化又は自動的は、工程が開始されると（機械又はユーザによって）、１つ以上の機械が、任意のユーザが更に入力することなく工程を行うことを意味する。加えて、「〜するように適合されている」などの用語は、デバイスが、本明細書に記載の処理における特定の点で特定の動作又は機能を自動的に行う特殊な内部又は外部構成要素を有するように特殊に設計されていることを意味し、このような特殊な構成要素は、本明細書に示す処理点で特殊な動作／機能を実行するように（操作者入力又は作用を全く行わない可能性がある）成形及び物理的に配置されている。本明細書の図面では、同じ識別番号は、同じ又は類似の項目を識別する。
【図１Ａ】
2020102843.tif 000003
【図１Ｂ】
2020102843.tif 000004
【図１Ｃ】
2020102843.tif 000005
【図１Ｄ】
2020102843.tif 000006
【図２】
2020102843.tif 000007
【図３】
2020102843.tif 000008
【図４】
2020102843.tif 000009
【図５】
2020102843.tif 000010
【図６】
2020102843.tif 000011